(57)【要約】【課題】親子座金の各座金に脚部を形成させることにより、アンカ―ボルトの位置如何に拘らず座金の機能を確実に果たし得、しかもベ―スプレ―トの大型化が避けられ、柱脚の位置修正もきわめて容易な露出型柱脚のベ―スを固定するアンカ―ボルトの締め付けナット用座金を提供する。【解決手段】それぞれ座部と同心に脚部を形成してＴ字形とした上下の座金で親子座金とし、上座金２にアンカ―ボルト３の径にあわせた径のボルト孔を偏心して形成して該ボルト孔を脚部の外周に接するように位置させ、下座金１の脚部の径をベ―スプレ―ト５に形成したアンカ―ボルト挿通孔６にあわせた径とすると共に該下座金に前記上座金の脚部の径にあわせた径の孔を偏心して形成して該孔を該下座金の脚部の外周に接するように位置させ、下座金の前記孔に上座金の脚部を挿入して上下に重積される親子座金。【選択図】  図８
2007057004.tif 000002
【特許請求の範囲】
【請求項１】
露出型柱脚のベ―スを固定するアンカ―ボルトの締め付けナット用座金において、
それぞれ座部と同心に脚部を形成してＴ字形とした上下の座金で親子座金とし、
上座金にアンカ―ボルトの径にあわせた径のボルト孔を偏心して形成して該ボルト孔を脚部の外周に接するように位置させ、
下座金の脚部の径をベ―スプレ―トに形成したアンカ―ボルト挿通孔にあわせた径とすると共に該下座金に前記上座金の脚部の径にあわせた径の孔を偏心して形成して該孔を該下座金の脚部の外周に接するように位置させ、
下座金の前記孔に上座金の脚部を挿入して上下に重積されるようにした、
ことを特徴とする親子座金。
【発明の詳細な説明】
【技術分野】
【０００１】
本発明は、建物躯体の柱脚と基礎構造とを接合するアンカ―ボルトの締め付けに用いる座金に関するものである。
【背景技術】
【０００２】
建物躯体の柱脚と基礎構造とを接合するアンカ―ボルトは、基礎コンクリ―トに定着され、ベ―スプレ―トに穿孔された比較的に大きな孔を貫通させ、該ボルトの上端側に座金とナットを用いて柱脚と基礎構造との接合に供されている。そして、前記ベ―スプレ―トに穿孔された孔径とアンカ―ボルトの径が大きく相違するため、該孔内にベ―スモルタル等の積め物を充填して柱脚からのせん断力のせん断抵抗を負担させていた（例えば、特許文献１参照。）。
【０００３】
【特許文献１】特開２００５―６１１０４号公報
【発明の開示】
【発明が解決しようとする課題】
【０００４】
ところで、アンカ―ボルトはベ―スプレ―トに穿孔された孔内での貫通位置が不定であり、該孔の中心線から大きく離れて貫通することがあるため上記従来の技術においては、座金の機能を充分に果たすよう比較的に余裕を持った大きな径の座金を必要とするものであり、その分，ベ―スプレ―トも大型化する。また、前記積め物は座金と別体であり、この積め物が正確に充填され保持されているのかの確認が難しく、一旦孔内に積め物が充填されるとその後の柱脚の位置修正が非常に困難である。またモルタル等の積め物では所望のせん断抵抗が得難に、という問題もある。
【０００５】
本発明は、従来の技術の有するこのような問題点に鑑みてなされたものであり、その目的とするところは、座金を親子座金とし各座金に脚部を形成させることにより、アンカ―ボルトの位置如何に拘らず座金の機能を確実に果たし得、しかもベ―スプレ―トの大型化が避けられ、柱脚の位置修正もきわめて容易な露出型柱脚のベ―スを固定するアンカ―ボルトの締め付けナット用座金を提供しようとするものである。
【課題を解決するための手段】
【０００６】
上記目的を達成するために、本発明における親子座金は、それぞれ座部と同心に脚部を形成してＴ字形とした上下の座金で親子座金とし、上座金にアンカ―ボルトの径にあわせた径のボルト孔を偏心して形成して該ボルト孔を脚部の外周に接するように位置させ、下座金の脚部の径をベ―スプレ―トに形成したアンカ―ボルト挿通孔にあわせた径とすると共に該下座金に前記上座金の脚部の径にあわせた径の孔を偏心して形成して該孔を該下座金の脚部の外周に接するように位置させ、下座金の前記孔に上座金の脚部を挿入して上下に重積されるようにしたことを特徴とする、ものである。
【発明の効果】
【０００７】
本発明に係る親子座金では、座部と同心に脚部を形成してＴ字形とした下座金の脚部の径をベ―スプレ―トに形成したアンカ―ボルト挿通孔にあわせた径としたので、下座金の座部はベ―スプレ―トに形成した挿通孔の周辺に均等に当接されることとなり比較的に大きな径の座金を必要とせず、ベ―スプレ―トの大型化が防止される。
【０００８】
また、上座金にアンカ―ボルトの径にあわせた径のボルト孔を偏心して形成して該ボルト孔を脚部の外周に接するように位置させ、下座金の脚部の径をベ―スプレ―トに形成したアンカ―ボルト挿通孔にあわせた径とすると共に該下座金に前記上座金の脚部の径にあわせた径の孔を偏心して形成して該孔を該下座金の脚部の外周に接するように位置させ、下座金の前記孔に上座金の脚部を挿入して上下に重積されるようにしたので、上下の座金は確実に保持され且つアンカ―ボルトの位置如何に拘らず座金の機能を確実に果たし得、しかも柱脚の位置修正もきわめて容易な露出型柱脚のベ―スを固定するアンカ―ボルトの締め付けナット用座金となる。
【発明を実施するための最良の形態】
【０００９】
露出型柱脚のベ―スを固定するアンカ―ボルトの締め付けナット用座金であって、それぞれ座部と同心に脚部を形成してＴ字形とした上下の座金で親子座金とし、上座金にアンカ―ボルトの径にあわせた径のボルト孔を偏心して形成して該ボルト孔を脚部の外周に接するように位置させ、下座金の脚部の径をベ―スプレ―トに形成したアンカ―ボルト挿通孔にあわせた径とすると共に該下座金に前記上座金の脚部の径にあわせた径の孔を偏心して形成して該孔を該下座金の脚部の外周に接するように位置させ、下座金の前記孔に上座金の脚部を挿入して上下に重積されるようにした親子座金である。
【実施例１】
【００１０】
図１ないし図３には本発明に係る親子座金の親である下座金の説明図が示され、図４ないし図６には親子座金の子である上座金の説明図が示され、図７ないし図９には本発明に係る親子座金を露出型柱脚のベ―スを固定するアンカ―ボルトの締め付けナットに適用した説明図が示されている。
【００１１】
まず，図１ないし図３において、１は下座金であり、該下座金１は座部１１と該座部１１と同心に形成された脚部１２とでＴ字形に形成されている。
【００１２】
そして、前記脚部１２の径は後述するベ―スプレ―ト５に形成したアンカ―ボルト挿通孔６にあわせた径としている。また下座金１には、後述する上座金２の脚部２２の径にあわせた径の孔１３が偏心して形成され、該孔１３は該下座金１の脚部１２の外周に接するように位置させてある。
【００１３】
次に，図４ないし図６において、２は上座金であり、該上座金２も座部２１と該座部２１と同心に形成された脚部２２とでＴ字形に形成されている。
【００１４】
そして、上座金２には、後述するアンカ―ボルト３の径にあわせた径のボルト孔２３が偏心して形成され、該ボルト孔２３は該上座金２の脚部２２の外周に接するように位置させてある。
【００１５】
これまで説明をした親子座金は、図７ないし図９に示すような手段で露出型柱脚のベ―スを固定するアンカ―ボルト３の締め付けナット４に適用される。即ち，３は基礎コンクリ―ト９に定着されたアンカ―ボルトであり、５は柱７のベ―スプレ―トであり、６は前記ベ―スプレ―ト５に形成されたアンカ―ボルト挿通孔であり、８はベ―スモルタルであって、前記アンカ―ボルト３とベ―スプレ―ト５間には下座金１と上座金２が重積されて親子座金を形成してナット４によって締め付けられるようになっている。
【００１６】
アンカ―ボルト３に親子座金を取り付けるには、アンカ―ボルト３の頭部から下座金１と上座金２を重積した状態でアンカ―ボルト３に通し、各座金１，２の脚部１２，２２がそれぞれベ―スプレ―ト５に形成されたアンカ―ボルト挿通孔６内に納まるように各座金１，２を回動させる。そして、親子座金が所定の位置に配置されると、ナット４を締め付けることにより、アンカ―ボルト挿通孔６とアンカ―ボルト３が親子座金によって隙間なく接触することになり、アンカ―ボルト３とベ―スプレ―ト５間は下座金１と上座金２を親子座金としてナット４によって固く締め付けられる。
【００１７】
この際，下座金１の座部１１はベ―スプレ―ト５に形成した挿通孔６の周辺に均等に当接されることとなり比較的に大きな径の座金を必要としない。また、下座金１はその座部１１がベ―スプレ―ト５に，上座金２はその座部２１が下座金１の座部１１によってそれぞれ確実に保持される。さらに挿通孔６内のアンカ―ボルト３の位置如何に拘らず両座金１，２を回動させて座金１，２の脚部１２，２２が挿通孔６内に隙間なく配置される。
【００１８】
また、鉄骨建て方終了後もナット４と上座金２と下座金１とを外して柱脚修正を行えばその作業も容易である。
【図面の簡単な説明】
【００１９】
【図１】図１は本発明に係る親子座金のうち下座金の平面図である。
【図２】図２は図１の側面図である。
【図３】図３は図１のＡ―Ａ’断面図である。
【図４】図４は本発明に係る親子座金のうち上座金の平面図である。
【図５】図５は図４の側面図である。
【図６】図６は図４のＢ―Ｂ’断面図である。
【図７】図７は本発明に係る親子座金の実施例の平面図である。
【図８】図８は図７のＣ―Ｃ’断面図である。
【図９】図９は図８のＤ―Ｄ’断面図である。
【符号の説明】
【００２０】
１              下座金
２              上座金
３              アンカ―ボルト
４              ナット
５              ベ―スプレ―ト
６              アンカ―ボルト挿通孔
７              柱
９              基礎コンクリ―ト
１１            下座金の座部
１２            下座金の脚部
１３            下座金の孔
２１            上座金の座部
２２            上座金の脚部
２３            上座金のボルト孔
【図１】
2007057004.tif 000003
【図２】
2007057004.tif 000004
【図３】
2007057004.tif 000005
【図４】
2007057004.tif 000006
【図５】
2007057004.tif 000007
【図６】
2007057004.tif 000008
【図７】
2007057004.tif 000009
【図８】
2007057004.tif 000010
【図９】
2007057004.tif 000011